(57)【要約】【課題】メタルハライドランプをリフレクタに固定するために充填される無機接着材による、ミラー面の汚損を抑制可能とする。【解決手段】メタルハライドランプ６は、リフレクタ１におけるミラー部２基端部のネック部３に固定されている。ランプは、一対の金属箔１３が封止されたピンチ部７を有する外管１０と、外管内に配置された発光管１１と、金属箔と発光管とを接続する電力供給線１４と、金属箔から外部に導出されたリード線１５とを有する。ピンチ部とネック部内面の間の間隙を封鎖するように接着材仕切板１７が配置され、その間隙のネック部先端側に無機接着材９が充填されている。ピンチ部は、断面形状の長手方向が一対のリード線の配列方向に沿うように圧潰され、接着材仕切板は、ピンチ部が挿入された挿通孔を有し、挿通孔の一端部から横方向に延びた切欠きを有する。【選択図】図１
0003127811.tif 000002
【実用新案登録請求の範囲】
【請求項１】
一端部に閉塞部が形成され他端部に一対の金属箔を封止したピンチ部が形成された外管、前記外管内に配置された発光管、一端部が前記金属箔に接続され他端部が前記発光管に接続された一対の電力供給線、および一端部が前記金属箔に接続され他端部が前記ピンチ部の先端から外部に導出された一対のリード線を有するメタルハライドランプと、
前面が開口したミラー部を有し、前記ミラー部の基端側にネック部が形成され、前記メタルハライドランプが前記ミラー部内に配置されて前記ネック部に固定されたリフレクタとを備え、
前記ピンチ部と前記ネック部内面の間の空隙に充填された無機接着材により前記メタルハライドランプが前記ネック部に固定されたリフレクタ付きメタルハライドランプ装置において、
前記ピンチ部の外面と前記ネック部の内面の間の間隙を封鎖するように接着材仕切板が配置されて、前記間隙の前記ネック部先端側に前記無機接着材が充填され、
前記ピンチ部は、断面形状の長手方向が前記一対のリード線の配列方向に沿うように圧潰されており、
前記接着材仕切板は、前記ピンチ部が挿入された挿通孔を有し、前記挿通孔の長手方向の一端部から片側横方向に延びた切欠きを有することを特徴とするリフレクタ付きメタルハライドランプ装置。
【請求項２】
前記接着材仕切板の前記切欠きは、前記接着材仕切板の外縁に達している請求項１に記載のリフレクタ付きメタルハライドランプ装置。
【請求項３】
前記メタルハライドランプの前記ピンチ部の断面形状は、長手方向における両端部に、両側横方法に延びる横突出部が形成されたＨ型形状であり、
前記接着材仕切板の前記挿通孔の前記切欠きは、前記ピンチ部の前記横突出部に対応する一箇所を延長して形成されている請求項１に記載のリフレクタ付きメタルハライドランプ装置。
【請求項４】
前記リフレクタの前記ネック部の端部には口金が取り付けられており、前記メタルハライドランプは前記口金と接続されている請求項１に記載のリフレクタ付きメタルハライドランプ装置。
【考案の詳細な説明】
【技術分野】
【０００１】
本考案は、リフレクタ内にメタルハライドランプが収納されたリフレクタ付きメタルハライドランプ装置、特に、メタルハライドランプは外管内に発光管が収納された構造を有し、その外管のピンチ部がリフレクタの基端部に接合されたリフレクタ付きメタルハライドランプ装置に関する。
【背景技術】
【０００２】
店舗等で使用されるスポットライト照明用の光源として、リフレクタ付きメタルハライドランプ装置が知られている。図１０にリフレクタ付きメタルハライドランプ装置の外観を示す。但し、メタルハライドランプは、リフレクタ１の内部に収納されているので、図１には示されていない。リフレクタ１は、前面が開口したミラー部２を有し、ミラー部２の基端側にネック部３が形成されている。ミラー部２の開口部には前面ガラス４が取り付けられている。ネック部３の先端部には口金５が取り付けられている。
【０００３】
図１０のリフレクタ付きメタルハライドランプ装置の断面を図１１に示す。リフレクタ１の内部に配置されたメタルハライドランプ６が、ネック部３に固定されている。ネック部３に対するメタルハライドランプ６の固定は、メタルハライドランプ６のピンチ部７とネック部３の内面８の間の空隙に充填された無機接着材９により行われている。メタルハライドランプ６は、外管１０と、その内部に配置された発光管１１とを有する。外管１０は、一端部が閉塞されてチップオフ部１２を形成し、他端部が圧潰されてピンチ部７を形成している。
【０００４】
以上のように、リフレクタ付きメタルハライドランプ装置は、リフレクタ１の内部に配置されたメタルハライドランプ６が、無機接着材９によりネック部３に固定された構造を有する。このような構造は、例えば、特許文献１に記載されている。ただし、特許文献１に記載されたリフレクタ付きメタルハライドランプ装置は、メタルハライドランプが外管を有さない形態であり、その点が、本考案のメタルハライドランプとは相違する。
【０００５】
図１２は、図１１におけるメタルハライドランプ６の左側面から見た図である。外管１０は石英ガラス製で円筒状である。外管１０の端部が圧潰されたピンチ部７には、一対の金属箔１３が封止されている。一対の金属箔１３の一端にはそれぞれ、一対の電力供給線１４が接続されて、その接続端部はピンチ部７に封止されている。電力供給線１４の他端部は外管１０内に引き込まれ、発光管１１に接続されて発光管１１を支持している。金属箔１３の他端にはそれぞれ、一対のリード線１５が接続されて、その接続部がピンチ部７に封止され、他端部がピンチ部７の先端から外部に導出されている。一対のリード線１５は、図１１に示すように、口金５に接続されている。
【０００６】
図１３に、図１２のメタルハライドランプ６を下方から見た底面図を示す。この図に示されるように、ピンチ部７は、断面形状における長手方向が一対のリード線１５の配列方向、すなわち一対のリード線１５を結ぶ方向に沿うように圧潰されている。また、ピンチ部７の断面形状の長手方向における両端部には、両側横方法に延びる横突出部１６が形成されて、Ｈ型形状をなしている。
【特許文献１】特開平１０−３０２６１２号公報
【考案の開示】
【考案が解決しようとする課題】
【０００７】
上記構成のリフレクタ付きメタルハライドランプ装置を組み立てる際には、メタルハラ
イドランプ６をリフレクタ１の内部に保持して、ピンチ部７の外面とリフレクタ１のネック部３内面との間の間隙に、ネック部３の先端側から無機接着材９を充填し、固化させる。
【０００８】
ところが、無機接着材９を充填する際に、無機接着材９がネック部３内の所定箇所を越えてミラー部２に向かって溢れる場合がある。その結果、ミラー部２にまで無機接着材９が到達してミラー面が汚損されると、ランプの光照射機能が低下する。
【０００９】
したがって本考案は、メタルハライドランプをリフレクタのネック部内面に固定するために充填される無機接着材による、ミラー面の汚損を抑制可能な構成を有するリフレクタ付きメタルハライドランプ装置を提供することを目的とする。
【課題を解決するための手段】
【００１０】
本考案のリフレクタ付きメタルハライドランプ装置は、一端部に閉塞部が形成され他端部に一対の金属箔を封止したピンチ部が形成された外管、前記外管内に配置された発光管、一端部が前記金属箔に接続され他端部が前記発光管に接続された一対の電力供給線、および一端部が前記金属箔に接続され他端部が前記ピンチ部の先端から外部に導出された一対のリード線を有するメタルハライドランプと、前面が開口したミラー部を有し、前記ミラー部の基端側にネック部が形成され、前記メタルハライドランプが前記ミラー部内に配置されて前記ネック部に固定されたリフレクタとを備える。前記ピンチ部と前記ネック部内面の間の空隙に充填された無機接着材により前記メタルハライドランプが前記ネック部に固定されている。
【００１１】
上記課題を解決するために、前記ピンチ部の外面と前記ネック部の内面の間の間隙を封鎖するように接着材仕切板が配置されて、前記間隙の前記ネック部先端側に前記無機接着材が充填され、前記ピンチ部は、断面形状の長手方向が前記一対のリード線の配列方向に沿うように圧潰されており、前記接着材仕切板は、前記ピンチ部が挿入された挿通孔を有し、前記挿通孔の長手方向の一端部から片側横方向に延びた切欠きを有する。
【考案の効果】
【００１２】
上記構成のリフレクタ付きメタルハライドランプ装置によれば、メタルハライドランプをリフレクタのネック部内面に固定するために充填される無機接着材は、ピンチ部に装着された接着材仕切板によりミラー部方向への移動が阻止され、ミラー面の汚損を抑制可能である。
【００１３】
しかも、外管の肉厚のばらつきに起因してピンチ部の端部に異常寸法の突出部が形成されても、接着材仕切板の挿通孔の端部に設けた切欠きにより寸法の不整合の影響が緩和されて、外管の肉厚のばらつきに対する余裕度を広げることが可能となる。
【考案を実施するための最良の形態】
【００１４】
上記構成の本考案のリフレクタ付きメタルハライドランプ装置において、前記接着材仕切板の前記切欠きは、前記接着材仕切板の外縁に達している構成とすることができる。
【００１５】
また、前記メタルハライドランプの前記ピンチ部の断面形状は、長手方向における両端部に、両側横方法に延びる横突出部が形成されたＨ型形状であり、前記接着材仕切板の前記挿通孔の前記切欠きは、前記ピンチ部の前記横突出部に対応する一箇所を延長して形成されている構成とすることができる。
【００１６】
また、前記リフレクタの前記ネック部の端部には口金が取り付けられており、前記メタルハライドランプは前記口金と接続されている構成とすることができる。
【００１７】
以下、本考案の実施の形態について、図面を参照して説明する。なお、従来例と同一の要素については、同一の参照符号を付して説明の重複を省略する。
【００１８】
図１は、本実施の形態におけるリフレクタ付きメタルハライドランプ装置の断面図である。  図２は、図１におけるメタルハライドランプ６の左側面から見た図である。図３は、図２のメタルハライドランプ６を下方から見た底面図を示す。
【００１９】
本実施の形態においては、図１に示されるように、メタルハライドランプ６のピンチ部７の外面と、リフレクタ１のネック部３内面との間の間隙を封鎖するように、接着材仕切板１７が配置されている。無機接着材９は、ネック部３における接着材仕切板１７に対する先端側に充填されている。接着材仕切板１７は、図４に示すような平面形状を有する。すなわち、その外縁は、ネック部３の断面形状の内縁に沿った形状である。接着材仕切板１７には、図３に示したピンチ部７の断面形状外縁に沿った形状を有する挿通孔１８が設けられている。
【００２０】
ピンチ部７を挿通孔１８に挿通することにより、接着材仕切板１７をピンチ部７に装着する。その装着された状態を図５に示す。図１〜図３に示すように、ピンチ部７の側面には係止突起１９が設けられ、ピンチ部７に対して接着材仕切板１７が位置規制される。なお、図１は断面図であるため、実際には係止突起１９は表れないが、構造の判り易さを考慮して、係止突起１９が表示されている。このようにピンチ部７に接着材仕切板１７が装着された状態で、ピンチ部７をネック部３内に配置して、ネック部３の先端側から無機接着材９を充填する。接着材仕切板１７を装着して無機接着材９を充填することにより、無機接着材９がネック部３内の所定箇所を越えてミラー部２に向かって溢れることが防止される。
【００２１】
接着材仕切板１７の挿通孔１８の寸法は、ピンチ部７との間に適度の余裕を持たせるように設定される。一方、ピンチ部７の寸法のうち、横突出部１６の突出長さは、外管１０の肉厚によって決定される。つまり、外管１０の肉厚のばらつきに応じて、圧潰されたときに形成される横突出部１６の寸法にばらつきが生じる。このばらつきは、挿通孔１８の寸法の設定により、ある程度は吸収され、ピンチ部７を挿通孔１８に挿通する際の支障とはならない。
【００２２】
しかし、外管１０の肉厚が大きい側に大きくばらついた場合、ピンチ部７の断面形状には、図６に示すような異常が発生する。すなわち、一箇所の横突出部１６ａの突出長さが極めて大きくなる。そのため、図７に示すように、横突出部１６ａが障害となって、ピンチ部７を挿通孔１８に挿通することができなくなる事態が発生する。
【００２３】
このような事態の発生を抑制するために、図８に示すように、接着材仕切板１７の挿通孔１８ａに切欠き２０を設けることが望ましい。切欠き２０は、挿通孔１８ａの長手方向の一方の側の端部から片側横方向に延びている。すなわち、ピンチ部７断面のＨ型形状の横突出部１６に対応する一箇所が延長されて切欠き２０が形成されている。これにより、突出長さの大きい横突出部１６ａが存在しても、図９に示すように、ピンチ部７に接着材仕切板１７を装着する際、横突出部１６ａは切欠き２０内に収まるので、横突出部１６ａがピンチ部７を挿通孔１８ａに挿通する際の障害となることはない。したがって、メタルハライドランプの外管１０の肉厚のばらつきに対する余裕度を広げることが可能となる。
【００２４】
図８では、切欠き２０が１箇所であるが、外管１０の肉厚のばらつきに応じて異常寸法の横突出部１６ａが形成されるのは、概ね１箇所であるため、１箇所に切欠き２０を設ければ十分である。
【００２５】
本実施の形態のリフレクタ付きメタルハライドランプ装置について、接着材仕切板１７に切欠き２０を設けることによる効果を実験により調べた。実験のために、上記のような構成の７０Ｗのリフレクタ付きメタルハライドランプ装置を、外管１０の肉厚のばらつき量を異ならせて作製した。形成されたピンチ部７断面の寸法を測定し、切欠き２０のない接着材仕切板１７の挿通孔１８、および切欠き２０のある接着材仕切板１７の挿通孔１８ａに対して挿入可能か否かを判定した。結果を（表１）に示す。
【００２６】
【表１】
0003127811.tif 000003
【００２７】
表中、○はメタルハライドランプのピンチ部を接着材仕切板の挿通孔に挿入できた場合、×は挿入できなかった場合を示す。接着材仕切板に切欠きが設けられている場合は、外管の肉厚のばらつきが７％であっても挿入可能であり、切欠きが設けられていない場合に比べて、明らかに差があることを確認できた。
【００２８】
なお、図８の切欠き２０は、接着材仕切板１７の外縁に達しているが、外縁に達していなくとも、相応の効果を得ることは可能である。ただし、切欠き２０を複数箇所に設けると、接着材仕切板１７の強度に問題を生じるので、切欠き２０は１箇所にのみ設ける。
【００２９】
なお、メタルハライドランプ６としては、以下のような通常の形態のものを適用可能である。
【００３０】
すなわち、外管１０内は、真空状態であってもよく、例えば窒素ガス等の不活性ガスが封入されていてもよい。
【００３１】
発光管１１は、内部に一対の電極（図示せず）が配置され、放電空間が形成されている本管部と、本管部の両端部からそれぞれ発光管１１の長手方向に突出している細管部とを有している。発光管１１の外囲器を構成する材料としては透光性セラミック、例えばアルミナが用いられる。石英ガラスであってもよい。また、発光管１１内には、発光物質としての発光金属、緩衝ガスとしての水銀、および始動補助ガスとしての希ガスがそれぞれ所定量封入されている。発光金属としては、ヨウ化ナトリウムやヨウ化ジスプロシウム等のハロゲン化金属が用いられる。
【００３２】
金属箔１３は例えばモリブデンからなり、その厚みが例えば２０μｍ〜４０μｍである。電力供給線１４は例えばモリブデンからなり、その線径が例えば０．５ｍｍ〜０．９ｍｍである。リード線１５は例えばニッケルからなり、その線径が例えば０．６ｍｍ〜１．０ｍｍである。
【００３３】
なお、発光管の形状や構造等は、上記したものに限らず、例えば略球状の本管部と円筒状の細管部とが繋ぎ目の無い一体成形によって形成されたものなどの、公知の種々の発光管を用いることができる。また、電極導入体についても公知の種々の電極導入体を用いることができる。
【産業上の利用可能性】
【００３４】
本考案のリフレクタ付きメタルハライドランプ装置は、メタルハライドランプをリフレクタのネック部内面に固定するための無機接着材によるミラー面の汚損を抑制可能であり、しかも外管の肉厚のばらつきよる影響も緩和されるので、店舗等で使用されるスポットライト照明用の光源として有用である。
【図面の簡単な説明】
【００３５】
【図１】本考案の一実施の形態におけるリフレクタ付きメタルハライドランプ装置の断面図
【図２】同メタルハライドランプ装置におけるメタルハライドランプを示す正面図
【図３】図２のメタルハライドランプの底面図
【図４】同メタルハライドランプ装置に用いられる接着材仕切板の形状を示す平面図
【図５】同メタルハライドランプ装置における接着材仕切板とメタルハライドランプのピンチ部の関係を示す平面図
【図６】同メタルハライドランプ装置におけるメタルハライドランプのピンチ部の寸法が異常である場合を示す平面図
【図７】図６のピンチ部と接着材仕切板の関係を示す平面図
【図８】同メタルハライドランプ装置における改良された接着材仕切板の形状を示す平面図
【図９】図６のピンチ部と図８の接着材仕切板の関係を示す平面図
【図１０】従来例のリフレクタ付きメタルハライドランプ装置の正面図
【図１１】同メタルハライドランプ装置の断面図
【図１２】同メタルハライドランプ装置におけるメタルハライドランプを示す正面図
【図１３】図１２のメタルハライドランプの底面図
【符号の説明】
【００３６】
１  リフレクタ
２  ミラー部２
３  ネック部
４  前面ガラス
５  口金
６  メタルハライドランプ
７  ピンチ部
８  内面
９  無機接着材
１０  外管
１１  発光管
１２  チップオフ部
１３  金属箔
１４  電力供給線
１５  リード線
１６、１６ａ  横突出部
１７  接着材仕切板
１８、１８ａ  挿通孔
１９  係止突起
２０  切欠き
【図１】
0003127811.tif 000004
【図２】
0003127811.tif 000005
【図３】
0003127811.tif 000006
【図４】
0003127811.tif 000007
【図５】
0003127811.tif 000008
【図６】
0003127811.tif 000009
【図７】
0003127811.tif 000010
【図８】
0003127811.tif 000011
【図９】
0003127811.tif 000012
【図１０】
0003127811.tif 000013
【図１１】
0003127811.tif 000014
【図１２】
0003127811.tif 000015
【図１３】
0003127811.tif 000016